(57)【特許請求の範囲】
【請求項１】
フェライトからなる環状のトロイダルコアに１次コイル及び２次コイルが形成され、前記１次コイル及び２次コイルの間で直流を通さず、信号だけを通過させる絶縁トランスであって、
前記１次コイルの中点と前記２次コイルに接続される回路部の共通線とを接続する接続線路を備え、
前記接続線路上に放電ギャップを設けたことを特徴とする絶縁トランス。
【請求項２】
フェライトからなる環状のトロイダルコアに１次コイル及び２次コイルが形成され、前記１次コイル及び２次コイルの間で直流を通さず、信号だけを通過させる絶縁トランスであって、
前記１次コイルの中点と前記２次コイルに接続される回路部の共通線とを接続する接続線路を備え、
前記接続線路上に第１のインピーダンス素子と第２のインピーダンス素子とを直列に接続し、更に、該第１のインピーダンス素子と第２のインピーダンス素子とにはそれぞれ放電ギャップを並列接続してなることを特徴とする絶縁トランス。
【請求項３】
前記放電ギャップは、前記２次コイルに接続される回路部を構成するプリント配線板の導体箔にて形成したことを特徴とする請求項１又は請求項２に記載の絶縁トランス。
【請求項４】
平衡２線式の通信ケーブルに接続するための接続端子を備え、該接続端子及び前記通信ケーブルを介して他の通信装置と相互にデータの送受信を行う通信装置であって、
請求項１〜請求項３の何れかに記載の絶縁トランスを備え、
該絶縁トランスの１次コイルを前記接続端子に、該絶縁トランスの２次コイルを当該通信装置の回路部に、それぞれ接続することにより、当該通信装置の回路部と前記接続端子とを前記絶縁トランスを介して接続してなることを特徴とする通信装置。
【請求項５】
当該通信装置は、前記通信ケーブルに接続するための接続端子に加えて、双方向ＣＡＴＶ網に接続するための接続ポートを備えたケーブルモデムであることを特徴とする請求項４に記載の通信装置。
【請求項６】
平衡２線式の通信ケーブルを介して相互にデータの送受信を行う複数の通信装置からなる通信システムであって、
前記複数の通信装置の少なくとも一つは、請求項４又は請求項５に記載の通信装置からなることを特徴とする通信システム。
【発明の詳細な説明】
【０００１】
【発明の属する技術分野】
本発明は、直流信号成分を遮断し通信用の高周波信号成分のみを通過させる絶縁トランス、及び、この絶縁トランスを通信ケーブルの接続部分に備えた通信装置、並びに、この通信装置を備えた通信システムに関する。
【０００２】
【従来の技術】
従来より、複数の情報機器間でデータを送受信するための通信システムとしては、１０ＢＡＳＥ−Ｔ、１００ＢＡＳＥ−ＴＸといったイーサネット（登録商標）による通信方式で各情報機器が双方向にデータ通信を行うＬＡＮ（ＬｏｃａｌＡｒｅａ  Ｎｅｔｗｏｒｋ）システムが知られている。そして、こうしたＬＡＮシステムでは、通信ケーブルとして、通常、平衡２線式のツイスト・ペア・ケーブルが使用されている。
【０００３】
また、ＬＡＮシステム（換言すれば平衡２線式の通信ケーブル：ツイスト・ペア・ケーブル）に接続するための通信装置は、通常、通信装置内部の回路部と、通信ケーブルへの接続端子との間に、絶縁トランスを設け、通信ケーブルに対する信号の入出力は、この絶縁トランスを介して行うようにされている。
【０００４】
【発明が解決しようとする課題】
しかし、従来の絶縁トランスは、耐雷性に対して考慮されていなかったので、耐雷性が低く、例えば、パーソナルコンピュタをツイスト・ペア・ケーブルを介してケーブルモデムに接続することにより、パーソナルコンピュータをケーブルモデムを介して双方向ＣＡＴＶ網に接続するようにした場合（より具体的にはＣＡＴＶ網を利用したインターネット接続を行う場合）、双方向ＣＡＴＶ網からのサージ電圧に対しては保安器で対策ができるものの、商用電源の電源ラインから侵入するサージ電圧に対しては、各通信機器が接地されているかどうかの違いにより、シャーシ間に電位差が生じ、通信ケーブルを介して各通信の端子間に異常電圧が加わって、その端子回路内部が故障するという問題があった。
【０００５】
本発明は、こうした問題に鑑み成されたもので、平衡２線式の通信ケーブルを介して他の通信装置に接続される通信装置の耐雷性を高め、延いては、複数の通信装置が通信ケーブルを介して接続される通信システムの信頼性を向上することを目的とする。
【０００６】
【課題を解決するための手段】
かかる目的を達成するために成された請求項１記載の発明は、フェライトからなる環状のトロイダルコアに１次コイル及び２次コイルが形成され、１次コイル及び２次コイルの間で直流を通さず、信号だけを通過させる絶縁トランスであって、１次コイルの中点と２次コイルに接続される回路部の共通線とを接続する接続線路を備え、この接続線路上に放電ギャップを設けたことを特徴とする。
【０００７】
このように構成された本発明の絶縁トランスによれば、上述した通信装置の通信ケーブルへの接続部分に設け、１次コイルを通信ケーブルに、２次コイルを通信装置の回路部に接続し、更に１次コイルの中点と通信装置の回路部の共通線ととを上記接続線路を介して接続するようにすれば、誘導雷等によるサージ電圧によって通信ケーブルに異常電圧が加わっても、その異常電圧を通信装置の共通線（一般にシャーシと同電位のグランド線）側に放電させて、通信装置をサージ電圧から保護することができるようになる。
【０００８】
よって、本発明の絶縁トランスを用いれば、平衡２線式の通信ケーブルを介して他の通信装置に接続される通信装置の耐雷性を高め、延いては、複数の通信装置が平衡２線式の通信ケーブルを介して接続される通信システムの信頼性を向上することができる。
【０００９】
また、１次コイルの中点と２次コイルに接続される回路部の共通線とを接続する接続線路は、単にこれらの間を導通するようにしてもよいが、このようにすると、本発明の所期の目的である耐雷性の向上は達成できるものの、２次コイルに接続される回路部内で発生したノイズが１次コイルを介して通信ケーブルに漏れ出すとか、逆に、通信ケーブルから回路部側にノイズが侵入することが考えられる。
【００１０】
そこで、請求項１に記載の絶縁トランスでは、接続線路上に放電ギャップを設け、通信ケーブルに異常電圧が発生したときに、その異常電圧が放電ギャップを介して通信装置の共通線側に放電されるようにしている。
次に、請求項２に記載の絶縁トランスにおいては、請求項１に記載のものと同様、１次コイルの中点と２次コイルに接続される回路部の共通線とを接続する接続線路を備え、この接続線路上に第１のインピーダンス素子と第２のインピーダンス素子とを直列に接続し、更に、第１のインピーダンス素子と第２のインピーダンス素子とにそれぞれ放電ギャップを並列接続することにより構成される。
このため、請求項２に記載の絶縁トランスによれば、通信ケーブルに異常電圧が発生したときに、その異常電圧が２つの放電ギャップを介して通信装置の共通線側に放電されるようになる。
【００１１】
また、請求項１、２に記載の絶縁トランスのように、接続線路上に放電ギャップを形成する際には、請求項３に記載のように、その放電ギャップを、２次コイルに接続される回路部を構成するプリント配線板の導体箔にて形成するようにすれば、放電ギャップを極めて簡単に構成できることになる。
一方、請求項４に記載の発明は、平衡２線式の通信ケーブルに接続するための接続端子を備え、この接続端子及び通信ケーブルを介して他の通信装置と相互にデータの送受信を行う通信装置であって、請求項１〜請求項３の何れかに記載の絶縁トランスを備え、この絶縁トランスの１次コイルを接続端子に、絶縁トランスの２次コイルを当該通信装置の回路部に、それぞれ接続することにより、当該通信装置の回路部と接続端子とを上述した絶縁トランスを介して接続してなることを特徴とする。
【００１２】
従って、この通信装置によれば、極めて耐雷性が高い通信装置となり、この通信装置を用いて通信システム（ＬＡＮシステム等）を構成すれば、その通信システムの信頼性を向上できる。
そして、特に、請求項５に記載のように、本発明の通信装置を、通信ケーブルに接続するための接続端子に加えて、双方向ＣＡＴＶ網に接続するための接続ポートを備えたケーブルモデムに適用すれば、ケーブルモデムの接続ポートの共通線側（詳しくは、接続ポートに接続される同軸ケーブルの外皮導体）が保安器等を介して大地に接地されるので、通信ケーブルに接続された他の通信装置側に発生したサージ電圧を大地に放電できることになり、通信ケーブルに接続された全ての通信装置をサージ電圧から保護することができる。
【００１３】
尚、本発明の通信装置は、無線ＬＡＮ端末間及び無線ＬＡＮ端末と有線ＬＡＮ（ケーブルモデムなど）間のデータを中継するアクセスポイント等に適用しても同様の効果が得られる。
また次に、請求項６に記載の発明は、平衡２線式の通信ケーブルを介して相互にデータの送受信を行う複数の通信装置からなる通信システムであって、複数の通信装置の少なくとも一つは、請求項４又は請求項５に記載の通信装置であることを特徴とする。
【００１４】
従って、本発明によれば、イーサネット（登録商標）による通信方式で各情報機器が双方向にデータ通信を行うＬＡＮシステム等、ツイスト・ペア・ケーブル等の平衡２線式の通信ケーブルを利用して複数の通信装置がデータ通信を行うあらゆる通信システムにおいて、耐雷性を向上し、誘導雷等によるサージ電圧からシステムを保護することが可能となる。
【００１５】
【発明の実施の形態】
以下に本発明の実施形態について説明する。
図１は、本発明が適用された実施例の通信システム全体の構成を表す説明図である。
【００１６】
図１に示す如く、本実施例の通信システムは、複数のパーソナルコンピュータ（以下パソコンと呼ぶ）１と、ケーブルモデム２と、これらを接続する通信ケーブル３及びＨＵＢ１３とで構成された所謂ＬＡＮシステムであり、通信ケーブル３には、ツイスト・ペア・ケーブルが使用され、ＨＵＢ１３には、イーサネット（登録商標）用のものが使用され、パソコン１及びケーブルモデム２には、この通信ケーブル３及びＨＵＢ１３を介してデータを双方向に送受信できるようにするために、イーサネット（登録商標）に準拠した通信プロトコルでデータ通信を行う通信回路（後述のＭＡＣ／ＰＨＹ）が内蔵されている。
【００１７】
また、ケーブルモデム２には、通信ケーブル３に接続するための接続端子２１０（図４参照）に加えて、同軸ケーブル４に接続するための接続ポート２０９（図４参照）が備えられている。そして、この接続ポート２０９は、同軸ケーブル４、保安器５、宅内引き込み用同軸ケーブル６、タップオフ７を介して、外部の双方向ＣＡＴＶ網に接続され、本実施例の通信システムを、双方向ＣＡＴＶ網のセンタ装置を介して、インターネットに接続できるようにされている。尚、図１において、符号１２は、双方向ＣＡＴＶ網の伝送線（同軸ケーブル）上に設けられた分岐増幅器を表している。
【００１８】
次に、保安器５は、本実施例ではデータ端子付２出力型であり、例えば図２に代表される回路で構成されている。
即ち、保安器５は、宅内引き込み用同軸ケーブル６を介して双方向ＣＡＴＶ網に接続するための入力端子５１と、宅内に配線された下り信号（テレビ放送信号等）伝送用の同軸ケーブル８を接続するための出力端子５２と、宅内に配線されたデータ通信用の同軸ケーブル４を接続するためのデータ端子５３とを備える。そして、入力端子５１の中心導体５４と、保安器５のシャーシと同電位の共通線（グランドライン）５５との間には、アレスター５６及びチョークコイル５７が各々接続されている。
【００１９】
また、入力端子５１の中心導体５４には、分配回路５８が接続されており、この分配回路５８によって、保安器５内に２系統の伝送経路を形成している。そして、この伝送経路の１つは、出力端子５２及び同軸ケーブル８を介して、双方向ＣＡＴＶ網からの下り信号を受信する受信端末（例えばセットトップボックスなど）に接続され、もう一つの伝送経路は、データ端子５３及び同軸ケーブル４を介して、双方向ＣＡＴＶ網のセンタ装置との間でデータを送受信する情報端末（本実施例ではケーブルモデム２）が接続されている。
【００２０】
また、出力端子５２の中心導体は、コンデンサ５９及び上り帯域カットフィルタ６１を介して分配回路５８と接続されている。従って、分配回路５８と出力端子５２との間の伝送経路では、コンデンサ５９によって、電流は通過せず、高周波信号は通過するようになり、しかも、上り帯域カットフィルタ６１によって、出力端子５２に接続される受信端末等から、双方向ＣＡＴＶ網に雑音が流入するのが防止される。
【００２１】
また、出力端子５２の外部導体と共通線５５の間には、外部導体を高周波的には共通線５５に接地し、しかも、出力端子５２に電流が流れないように絶縁するためのコンデンサ６０が設けられている。
一方、データ端子５３の中心導体は、コンデンサ６２を介して、分配回路５８と接続されている。このため、分配回路５８とデータ端子５２との間の伝送経路では、コンデンサ６２によって、電流は通過しないが、高周波信号は通過するようになる。そして、データ端子５３の外部導体と共通線５５との間は、低周波数帯域の周波数特性をよくするために、コンデンサを設けることなく、直接接続されている。
【００２２】
また、保安器５の共通線５５は、図１に示す如くアース線１０１で大地に接地されている。尚、本実施例では入力端子５１と出力端子５２及びデータ端子５３とを分配回路５８を介して接続しているが、分配回路５８に代えて分岐回路を用いるようにしてもよい。
【００２３】
次にサージ電圧の流れについて図１を用いて詳細に説明する。
上述したようにパソコン１とケーブルモデム２は通信ケーブル３及びＨＵＢ１３を介して接続されており、それぞれの機器は、電源をＡＣコンセント１０２から得ている。
【００２４】
まず、双方向ＣＡＴＶ網から侵入するサージ電圧について考えると、双方向ＣＡＴＶ網から侵入したサージ電圧は、保安器５の入力端子５１の中心導体と共通線５５との間に接続されたアレスター５６及びチョークコイル５７により吸収され、アース線１０１を介して大地へ流れるため、宅内への侵入が防止される。また、宅内引き込み用同軸ケーブル６の外部導体は、保安器５の共通線５５がアース線１０１を介して大地に接地されているため、誘導雷による被害も防止できる。
【００２５】
次にＡＣラインからの侵入ルートについて説明する。
図１においてサージ電圧は商用電源の架線であるグランドワイヤ１０３を通して大地へ流れる。この時、電柱１０４に取り付けられた柱上トランス１０５のＡＣ１００Ｖの中立線が、グランドワイヤ１０３と接続されているため、サージ電圧がグランドワイヤ１０３に印加した瞬間、柱上トランス１０５におけるＡＣ１００Ｖの中立線のアース電位が上昇し、これによって宅内の商用電源（ＡＣ１００Ｖ）は中立線以外の配電線も同時に接地電位が上がる。
【００２６】
このサージ電圧は、ＡＣコンセント１０２を通してパソコン１およびケーブルモデム２に印加される。この時ケーブルモデム２に印加されたサージ電圧は、同軸ケーブル４の外部導体を通して、保安器５のデータ端子５３の外部導体に流れる。保安器５のデータ端子５３の外部導体は、保安器５の共通線５５からアース線１０１を通して大地に接地されているので、ケーブルモデム２に印加されたサージ電圧は大地に流れていく。
【００２７】
ところがパソコン１はどこにも接地されておらず、この結果、パソコン１とケーブルモデム２のシャーシ間に電位差を生じ、通信ケーブル３に接続された端子間に異常電圧が加わって、この端子回路内部が故障する。
この時、パソコン１とケーブルモデム２のシャーシ間を同電位にしてサージ電圧による故障を防止する方法としては、例えば、ケーブルモデム２とパソコン１のシャーシ間をアース線等で接続するとか、或いは、２Ｐプラグ（ＡＣプラグ１０、１１）に代えて３Ｐプラグを各機器に取り付け、ＡＣコンセント１０２も３Ｐ用にすることで、シャーシ間が自動的に接続されるようにする方法があるが、こうした方法では、特別な工事が必要と成り、コストアップの要因となる。
【００２８】
そこで、本実施例では、図４に示すケーブルモデム２のように、当該システムで用いる通信装置に、接続端子２１０と回路部２０７との間に介在する絶縁トランス２０を設け、この絶縁トランス２０には、入力端２４が接続端子２１０に接続された１次コイル２２の中点と、２次コイル２３の端部２５に接続された回路部２０７の共通線２０８との間に避雷回路３０を設けることで、通信装置内に避雷回路付絶縁トランス２００を設け、特別な工事を必要とすることなしに、また、わずかなコストでサージ電圧からケーブルモデム２やパソコン１等の通信装置を保護するようにしている。
【００２９】
図３は、避雷回路付絶縁トランス２００の詳細を示すものであり、（Ａ）は避雷回路付絶縁トランスの回路例を示し、（Ｂ）は、放電ギャップの実施例を示している。
避雷回路付絶縁トランス２００は、フェライトからなる環状のトロイダルコア２１に１次コイル２２及び２次コイル２３が形成され、前記１次コイル２２及び２次コイル２３の間で直流を通さず、信号だけを通過させる絶縁トランス２０からなり、この絶縁トランス２０の１次コイル２２の中点と２次コイル２３の端部２５に接続される回路部２０７の共通線２０８との間に、第１のインピーダンス素子２６と第２のインピーダンス素子２８とを直列接続し、更に、第１のインピーダンス素子２６と第２のインピーダンス素子２８とに、それぞれ、放電ギャップ２７が並列接続することにより構成されている。
【００３０】
そして、この避雷回路付絶縁トランス２００を、例えば、図４に示すように、ケーブルモデム２の通信線への接続端子２１０と回路部２０７との間に設け、１次コイル２２の入力端２４を接続端子２１０に接続し、２次コイル２３の端部２５を回路部２０７に接続するようにすれば、通信ケーブル３及びＨＵＢ１３を介してパソコン１とケーブルモデム２との間に生じた異常電圧は、ケーブルモデム２に接続された同軸ケーブル４の外皮導体、保安器５の共通線５５から、アース線１０１を介して、大地に流され、パソコン１及びケーブルモデム２をサージ電圧から保護することができる。
【００３１】
尚、第１のインピーダンス素子２６は、数１００Ω以下のチップ抵抗であり、本実施例では７５Ωを用いている。また、第２のインピーダンス素子２８は、１００ｐＦ〜１０００００ｐＦ程度のチップコンデンサであり、本実施例では１００００ｐＦを用いている。また、これら各素子２６、２８に並列接続される放電ギャップ２７は、図３（Ｂ）に例示するように、避雷回路３０が構成されているプリント基板の各素子がマウントされた近傍に、プリント基板の導体箔で形成されている。但し、これは一例であり、インピーダンス素子２６、２８の配置や、抵抗値・容量は、適宜設定すればよく、また、放電ギャップ２７についても、必ずしもプリント基板の導体箔で形成する必要はない。
【００３２】
次に図４は、上記避雷回路付絶縁トランス２００を設けたケーブルモデム２の構成例を表すブロック図である。
本実施例のケーブルモデム２は、主として、双方向ＣＡＴＶ網との接続ポート２０９を持ったチューナーユニット２０１と、選局された高周波信号を変復調するためのＱＡＭチップ２０２及びＳＲＡＭ２０５と、装置全体の統括制御を行うための中央演算装置（以下ＣＰＵと呼ぶ）２０３と、ＣＰＵ２０３がデータを保存するのに利用するＳＤＲＡＭ２０６と、外部ネットワーク側との接続用のイーサネット（登録商標）ＭＡＣ／ＰＨＹ（Ｍｅｄｉａ  Ａｃｃｅｓｓ  Ｃｏｎｔｒｏｌｌｅｒ／Ｐｈｙｓｉｃａｌ  Ｌａｙｅｒ：以下、単にＭＡＳ／ＰＨＹという）２０４と、から構成されている。
【００３３】
そして、これらが構成された回路部２０７と、通信ケーブル接続用の接続端子２１０との間には、上述した避雷回路付絶縁トランス２００が設けられている。尚、ＱＡＭチップ２０２、ＣＰＵ２０３、ＳＤＲＡＭ２０６、及びＭＡＳ／ＰＨＹ２０４は、周知のバスラインにて接続されており、回路部２０７には、ＡＣプラグ１１を介してＡＣコンセント１０２から取り込んだ商用電源（ＡＣ１００Ｖ）から上記各部を動作させるための直流定電圧を生成する電源部も内蔵されている。
【００３４】
また、チューナーユニット２０１は、接続ポート２０９、同軸ケーブル４、保安器５等を介して、双方向ＣＡＴＶ網に接続されており、双方向ＣＡＴＶ網側から伝送されてきた下り信号からインターネットのデータチャンネルを選局する。そして、この選局されたデータはＱＡＭチップ２０２で変復調された後、ＭＡＣ／ＰＨＹ２０４で、接続端子２１０に接続された通信ケーブル３を介して、パソコン１側に伝送するのに必要な信号に変換される。
【００３５】
これとは逆に、パソコン１から通信ケーブル３を介して送られる上り信号は、ＭＡＣ／ＰＨＹ２０４で双方向ＣＡＴＶ網にて必要な信号に変換され、ＱＡＭチップで変復調された後、チューナーユニット２０１で所望のＣＡＴＶの上りチャンネルで双方向ＣＡＴＶ網に送出される。
【００３６】
そして、ケーブルモデム２と双方向ＣＡＴＶ網との接続は、同軸ケーブル４、保安器５、宅内引き込み用同軸ケーブル６、タップオフ７を介して行われ、前述の如く、双方向ＣＡＴＶ網からのサージ電圧の侵入に対して保護される。
また、回路部２０７と接続端子２１０との間には避雷回路付絶縁トランス２００が設けられ、その絶縁トランス２０の１次コイル２２の中点と２次コイル２３に接続された回路部２０７の共通線（グランドライン）２０８との間には、上述の避雷回路３０が設けられることから、ＡＣラインからのサージ電圧によって、パソコン１とケーブルモデム２との間に異常電圧が生じても、同軸ケーブル４の外皮導体、保安器５の共通線５５、アース線１０１等を介して、異常電圧を吸収して、パソコン１及びケーブルモデム２を保護することができる。
【００３７】
よって、本実施例のケーブルモデム２によれば、特別な工事を必要とすることなしに、また、わずかなコストで、耐雷性が高い通信システムを構築できる。
尚、上記避雷回路付絶縁トランス２００に効果を確認するため、上述したケーブルモデム２の耐雷試験を行った。この結果、１次コイル２２の中点を２次コイル２３に接続された回路部２０７の共通線（グランドライン）２０８に接続しない従来の絶縁トランスを設けたケーブルモデムでは、１．２×５０μsec.の衝撃波では、±７ｋＶの電圧で故障したが、本実施例のケーブルモデム２では、同衝撃波に対して、±２５ｋＶ以上の電圧に耐え得ることが判った。
【００３８】
以上、本発明の一実施形態について説明したが、本発明は上記実施例に限定されるものではなく、本発明の趣旨を逸脱しない範囲で各部を適宜に変更して実施することも可能である。
例えば、上記実施例では、通信ケーブル３を介して接続される通信装置であるパソコン１及びケーブルモデム２をサージ電圧から保護し、通信システムの耐雷性を向上するための絶縁トランスとして、避雷回路３０を備えた避雷回路付絶縁トランス２００を用いるものとして説明したが、例えば、図５（ａ）に示すように、絶縁トランス２０の１次コイル２２の中点と２次コイル２３に接続された回路部２０７の共通線（グランドライン）２０８との間を、放電ギャップ２７を介して接続するようにしても、或いは、図５（ｂ）に示すように、絶縁トランス２０の１次コイル２２の中点と２次コイル２３に接続された回路部２０７の共通線（グランドライン）２０８との間を直接接続するようにしても、パソコン１及びケーブルモデム２をサージ電圧から保護することはできる。
【００３９】
また、上記実施例では、避雷回路付絶縁トランス２００は、ケーブルモデム２に設けるものとして説明したが、更に、ＨＵＢ１３等の他の通信装置に設けるようにしてもよい。
【図面の簡単な説明】
【図１】  実施例の通信システム全体の構成を表す説明図である。
【図２】  実施例の保安器の構成を表す説明図である。
【図３】  実施例の避雷回路付絶縁トランスの構成及び放電ギャップの構成例を表す説明図である。
【図４】  実施例の避雷回路付絶縁トランスを備えたケーブルモデムの構成を表すブロック図である。
【図５】  絶縁トランスの他の構成例を表す説明図である。
【符号の説明】
１…パーソナルコンピュータ、２…ケーブルモデム、３…通信ケーブル、４…同軸ケーブル、５…保安器、６…宅内引き込み用同軸ケーブル、７…タップオフテレビジョン受信機、８…同軸ケーブル、９…テレビジョン受信機、１０…ＡＣプラグ、１１…ＡＣプラグ、１２…分岐増幅器２０…絶縁トランス、２１…トロイダルコア、２２…１次コイル、２３…２次コイル、２４…入力端、２５…端部、２６…チップ抵抗、２７…放電ギャップ、２８…チップコンデンサ、２９…導体箔、３０…避雷回路、５１…入力端子、５２…出力端子、５３…データ端子、５４…中心導体、５５…共通線、５６…アレスター、５７…チョークコイル、５８…分岐分配手段、５９…コンデンサ、６０…コンデンサ、６１…上り帯域カットフィルター、６２…コンデンサ、１０１…アース線、１０２…ＡＣコンセント、１０３…グランドワイヤ、１０４…電柱、１０５…柱上トランス、１０６…配電線、２００…避雷回路付絶縁トランス、２０１…チューナーユニット、２０２…ＱＡＭチップ、２０３…中央演算装置、２０４…ＭＡＣ／ＰＨＹ、２０５…ＳＲＡＭ、２０６…ＳＤＲＡＭ、２０７…回路部、２０８…共通線、２０９…接続ポート、２１０…接続端子。
【図１】
0004327468.tif 000002
【図２】
0004327468.tif 000003
【図３】
0004327468.tif 000004
【図４】
0004327468.tif 000005
【図５】
0004327468.tif 000006